(57)【要約】【課題】バルブの開閉方法および装置を提供する。【解決手段】  電動工具を腕に抱える工程と、電動工具の出力部２を入力部３に係合させる工程と、電動工具の出力部２を回転させて入力部３を回転させる工程と、入力部３の回転力を減速機４に伝達する工程と、減速機４の回転で駆動部６を回転させる工程と、駆動部６の回転でバルブの被操作部５を回転させて、バルブを開閉させる工程とを備える。【選択図】図１
2015068423.tif 000002
【特許請求の範囲】
【請求項１】
バルブの開閉方法であって、
電動工具を腕に抱える工程と、
前記電動工具の出力部をバルブ開閉装置の入力部に係合させる工程と、
前記電動工具の出力部を回転させて前記入力部を回転させる工程と、
前記入力部の回転力を前記装置の減速機に伝達する工程と、
前記減速機の回転で前記装置の駆動部を回転させる工程と、
前記駆動部の回転でバルブの被操作部を回転させて、バルブを開閉させる工程とを備える。
【請求項２】
バルブ開閉装置であって、
電動工具の出力部に係合し前記出力部の回転で回転する入力部と、
前記入力部の回転数を減少させる減速機と、
前記減速機の回転で回転し、バルブの被操作部を回転駆動させる駆動部と、
構造物に固定され前記減速機のケースを支持するベースとを備える。
【請求項３】
請求項２のバルブ開閉装置において、
前記減速機と前記ベースとの間には、
前記減速機及び駆動部の姿勢を変更可能に支持するヒンジと、
前記ヒンジにより前記減速機及び駆動部が支持された状態において前記減速機及び駆動部の姿勢を変更するための調節具とが介挿されている。
【発明の詳細な説明】
【技術分野】
【０００１】
本発明は、水門のようなバルブの開閉方法および装置に関する。
【背景技術】
【０００２】
例えば、農業用の用水路のゲート（バルブ）には手動式と電動式とがある。近年、度々生じるゲリラ豪雨時等には、必要に応じて前記ゲートを開閉する必要がある。
【０００３】
手動式のゲートの場合、オペレータの高齢化に伴いゲートを開閉する作業に時間を要し、緊急時の対応に遅れが生じ易い。
【０００４】
一方、電動式のゲートの場合、屋外に設置された制御盤内の電気系統が損傷していることが少なからずあり、そのため、ゲートの開閉自体ができないことがある。
【０００５】
かかる実情に鑑み、本出願人は車載バッテリーを利用したバルブの開閉装置を提案しており、出願している。
【先行技術文献】
【特許文献】
【０００６】
【特許文献１】登録実用新案公報第３１７５５１１号（要約）
【発明の概要】
【０００７】
しかし、かかるバッテリーを利用したものでは、車両がゲートの近くまで侵入したり、車両をゲートの極く近い位置に駐車する必要がある。
【０００８】
また、バッテリーの電力で電動モータを駆動するための電気回路等に市販品を使うことができず、コストアップの要因となる。
【０００９】
かかる問題は農業用水だけでなく、上下水道などの水路においても同様に生じる。
【００１０】
本発明の目的は、前述の課題を解決し得るバルブの開閉方法および装置を提供することである。
【００１１】
本バルブの開閉装置は、電動工具の出力部に係合し前記出力部の回転で回転する入力部と、
前記入力部の回転数を減少させる減速機と、
前記減速機の回転で回転し、バルブの被操作部を回転駆動させる駆動部と、
構造物に固定され前記減速機のケースを支持するベースとを備える。
【００１２】
かかる装置を用いた本バルブの開閉方法は、電動工具を腕に抱える工程と、
前記電動工具の出力部をバルブ開閉装置の入力部に係合させる工程と、
前記電動工具の出力部を回転させて前記入力部を回転させる工程と、
前記入力部の回転力を前記装置の減速機に伝達する工程と、
前記減速機の回転で前記装置の駆動部を回転させる工程と、
前記駆動部の回転でバルブの被操作部を回転させて、バルブを開閉させる工程とを備える。
【００１３】
本発明によれば、電動工具を用いてバルブを開閉するので、緊急時の対応に遅れが生じにくい。
また、電動式のバルブと異なり、電気系統が損傷しているおそれもない。
更に、車両をゲートの極く近い位置に駐車する必要もない。
また、減速機やヒンジなどの主たる部品は一般に市販品を採用することができ、コストダウンを図り得る。
【図面の簡単な説明】
【００１４】
【図１】本発明の開閉装置の一実施例を示す正面図である。
【図２】同側面図である。
【発明を実施するための形態】
【００１５】
好ましくは、前記減速機と前記ベースとの間には、
前記減速機及び駆動部の姿勢を変更可能に支持するヒンジと、
前記ヒンジにより前記減速機及び駆動部が支持された状態において前記減速機及び駆動部の姿勢を変更するための調節具とが介挿されている。
【００１６】
この場合、調節具を操作することにより、駆動部の姿勢を変更でき、したがって、バルブのハンドルに駆動部が適正な接触圧で接触する。
【実施例】
【００１７】
図１に示すように、本バルブ開閉装置１は、電動工具の出力部２の回転で回転する入力部３と、前記入力部の回転数を減少させる減速機４と、前記減速機４の回転で回転し、バルブ（図示せず）の被操作部５（ハンドル）を回転駆動させる駆動部６（ウレタン製のローラ）と、構造物７（バルブフレーム）に固定され前記減速機４のケース４０を支持するベース８とを備える。
【００１８】
なお、電動工具として充電式のドライバ（コードレスインパクトドライバ）を用いることができる。
前記減速機４と前記ベース８との間には、前記減速機４及び駆動部６の姿勢を変更可能に支持するヒンジ９と、前記ヒンジ９により前記減速機４および駆動部６が支持された状態において前記減速機４および駆動部６の姿勢を変更するための調節具１０とが介挿されている。
【００１９】
なお、出力部２および入力部３の形状は六角孔や六角柱に限定されない。また、バルブの被操作部５はハンドルではなく角錐形などであってもよい。
【００２０】
本実施例の場合、前記減速機４のケース４０および駆動部６はヒンジ９の中心Ｏの周りに回転可能に前記ベース８を介して構造物７に固定されている。前記調節具１０はアイボルト１１の周囲にコイルスプリング１２が外嵌され、ナット１３をアイボルト１１に螺合させて減速機４のケース４０の姿勢を変えることができる。これにより、駆動部６が被操作部５に接触する接触圧が調整される。
【００２１】
なお、図２に示すように、前記駆動部６には円周状の溝が設けられていてもよい。この場合、当該溝に断面円形のバルブの被操作部５が嵌まるため両者が滑りにくくなる。
【００２２】
つぎに、バルブの開閉方法について説明する。
オペレータは電動工具を腕に抱え、前記電動工具の出力部２をバルブ開閉装置の入力部３に係合させる。ついで、オペレータが前記電動工具の出力部２を回転させて前記入力部３を回転させると、前記入力部３の回転力が前記装置の減速機４に伝達され、前記減速機４の回転で前記装置の駆動部６が回転する。前記駆動部６の回転でバルブの被操作部５が回転され、前記バルブが開閉される。
【産業上の利用可能性】
【００２３】
本発明は農水や上下水道用のバルブの開閉に利用することができる。
【符号の説明】
【００２４】
１：バルブ開閉装置
２：出力部
３：入力部
４：減速機    ４０：ケース
５：被操作部
６：駆動部
７：構造物
８：ベース
９：ヒンジ
１０：調節具
【図１】
2015068423.tif 000003
【図２】
2015068423.tif 000004